(57)【要約】【課題】スクリーンの巻径の変化に関わらず、スクリーンから安定して異物を除去してスクリーンの損傷及び汚れを防止し得るロールスクリーンの異物除去装置を提供する。【解決手段】一対のサイドブラケット３間に巻取軸４を回転可能に支持し、巻取軸４からスクリーン５を垂下し、巻取軸４を回転させてスクリーン５を昇降するロールスクリーンにおいて、スクリーン５の引き上げ操作時に、該スクリーン５の表裏両面の全幅に亘って非回転で接触する当接部８ａ，８ｂをサイドブラケット３間に支持した。【選択図】図２
2010144486.tif 000002
【特許請求の範囲】
【請求項１】
一対のサイドブラケット間に巻取軸を回転可能に支持し、前記巻取軸からスクリーンを垂下し、前記巻取軸を回転させて前記スクリーンを昇降するロールスクリーンにおいて、
前記スクリーンの引き上げ操作時に、該スクリーンの表裏両面の全幅に亘って非回転で接触する当接部を前記サイドブラケット間に支持したことを特徴とするロールスクリーンの異物除去装置。
【請求項２】
前記スクリーンの前後方向の位置の変化に追随して前記当接部を移動させる追随装置を備えたことを特徴とする請求項１記載のロールスクリーンの異物除去装置。
【請求項３】
前記当接部をワイヤーで構成したことを特徴とする請求項１又は２記載のロールスクリーンの異物除去装置。
【請求項４】
前記追随装置は、前記各サイドブラケットに回転可能に支持した一対のアーム間に前記ワイヤーを張設したことを特徴とする請求項３記載のロールスクリーンの異物除去装置。
【請求項５】
前記アームの中間部を前記サイドブラケットに回動可能に支持し、前記アームの一端にブッシュを回動可能に支持し、前記ブッシュで前記ワイヤーを支持し、前記ブッシュには前記ワイヤーを前記スクリーンに接触させる方向に付勢する付勢手段を備え、前記アームの他端には前記ブッシュの荷重とバランスする錘を備えたことを特徴とする請求項４記載のロールスクリーンの異物除去装置。
【請求項６】
前記サイドブラケット間に一対の横桟を支持し、該横桟間に前記スクリーンを挿通し、前記横桟には該横桟の角部を前記当接部として前記スクリーンに追随させる追随装置を備えたことを特徴とする請求項１又は２記載のロールスクリーンの異物除去装置。
【請求項７】
前記追随装置として、前記横桟の自重に基づいて前記当接部を前記スクリーンに向かって回動させる回転モーメント発生手段を備えたことを特徴とする請求項６記載のロールスクリーンの異物除去装置。
【請求項８】
前記回転モーメント発生手段は、前記横桟の重心を含む鉛直線から外れた位置に設けた回動支点で前記横桟を吊下支持する構成としたことを特徴とする請求項７記載のロールスクリーンの異物除去装置。
【請求項９】
前記モーメント発生手段は、断面中心と異なる位置に重心を設定した横桟を、前記断面の中心線状に位置する回動支点で吊下支持する構成としたことを特徴とする請求項７記載のロールスクリーンの異物除去装置。
【請求項１０】
前記追随装置として、前記横桟を前記スクリーンに対し斜め方向に移動可能に支持する案内手段を前記サイドブラケットに備えたことを特徴とする請求項６記載のロールスクリーンの異物除去装置。
【請求項１１】
前記追随装置として、前記横桟を回動可能に支持する回動支点と、前記当接部を互いに近づく方向に付勢する磁石とを備えたことを特徴とする請求項６記載のロールスクリーンの異物除去装置。
【請求項１２】
前記追随装置として、前記横桟を回動可能に支持する回動支点と、前記当接部を互いに近づく方向に付勢するバネとを備えたことを特徴とする請求項６記載のロールスクリーンの異物除去装置。
【請求項１３】
前記当接部は、前記サイドブラケット間に張設したテープと、前記サイドブラケット間に支持した横桟の角部としたことを特徴とする請求項１記載のロールスクリーンの異物除去装置。
【請求項１４】
前記横桟には、該横桟の自重に基づいて前記当接部を前記スクリーンに向かって回動させる回転モーメント発生手段を備えたことを特徴とする請求項１３記載のロールスクリーンの異物除去装置。
【請求項１５】
前記テープを、巻径が最小となる状態で前記巻取軸から垂下される前記スクリーンに接する位置に張設したことを特徴とする請求項１３又は１４記載のロールスクリーンの異物除去装置。
【請求項１６】
前記横桟の角部から下方に断面嘴状に突出する当接部を合成樹脂で形成したことを特徴とする請求項１３乃至１５のいずれか１項に記載のロールスクリーンの異物除去装置。
【発明の詳細な説明】
【技術分野】
【０００１】
この発明は、スクリーンに付着した異物を除去する異物除去装置を備えたロールスクリーンに関するものである。
【背景技術】
【０００２】
ロールスクリーンは、巻取軸から吊下支持されるスクリーンを操作装置により巻取軸に巻き取り、あるいは巻取軸から巻戻して昇降することにより、採光量の調節あるいは網戸として使用するようにしたものである。
【０００３】
スクリーンの生地は、遮光性の高い生地、外光を一部採り入れ可能とした透光性を備えた生地あるいは網戸を構成する網目地等を使用する。
上記のようなロールスクリーンでは、スクリーンに虫等の異物が付着しやすく、このような異物が付着した状態でスクリーンの昇降動作を繰り返すと、スクリーンが汚れ易い。
【０００４】
そこで、スクリーンの引き上げ操作時に、異物を除去する除去装置を備えたロールスクリーンが提案されている。
特許文献１には、ドラムカバーの入口部に虫落し用のブラシを備えた巻上網戸が開示されている。
【０００５】
特許文献２には、網巻取用ロールの近傍に、粘着性を備えたロールを回動自在に設け、そのロールで網に付着したごみを除去する清掃装置を備えた網戸が開示されている。
【特許文献１】実開昭５８−１６８６９８号公報
【特許文献２】実開平６−２８１９３号公報
【発明の開示】
【発明が解決しようとする課題】
【０００６】
特許文献１に記載された巻上網戸では、１本一本のブラシ毛から虫が通貨してしまう。また、ブラシがドラムケースに固定されており、ドラムの巻径が最も小さくなる状態でブラシの先端を網戸の生地に当接させる必要があるため、ドラムの巻径が増大すると、ブラシと生地の接触抵抗が増大し、生地を傷める原因となる。
【０００７】
また、接触抵抗の増大を防止するために、毛先の柔らかいブラシを使用すると、異物を確実に除去できなくなるという問題点がある。
特許文献２に記載された網戸の清掃装置では、ロールで虫等の異物を粘着した状態で網を繰り返し昇降していると、ロールに付着した異物で網が汚れてしまうという問題点がある。
【０００８】
この発明の目的は、スクリーンの前後方向の吊下げ位置の変化に関わらず、スクリーンから安定して異物を除去してスクリーンの損傷及び汚れを防止し得るロールスクリーンの異物除去装置を提供することにある。
【課題を解決するための手段】
【０００９】
請求項１では、一対のサイドブラケット間に巻取軸を回転可能に支持し、前記巻取軸からスクリーンを垂下し、前記巻取軸を回転させて前記スクリーンを昇降するロールスクリーンにおいて、前記スクリーンの引き上げ操作時に、該スクリーンの表裏両面の全幅に亘って非回転で接触する当接部を前記サイドブラケット間に支持した。
【００１０】
請求項２では、前記巻取軸の巻径の変化に追随して前記当接部を移動させる追随装置を備えた。
請求項３では、前記当接部をワイヤーで構成した。
【００１１】
請求項４では、前記追随装置は、前記各サイドブラケットに回転可能に支持した一対のアーム間に前記ワイヤーを張設した。
請求項５では、前記アームの中間部を前記サイドブラケットに回動可能に支持し、前記アームの一端にブッシュを回動可能に支持し、前記ブッシュで前記ワイヤーを支持し、前記ブッシュには前記ワイヤーを前記スクリーンに接触させる方向に付勢する付勢手段を備え、前記アームの他端には前記ブッシュの荷重とバランスする錘を備えた。
【００１２】
請求項６では、前記サイドブラケット間に一対の横桟を支持し、該横桟間に前記スクリーンを挿通し、前記横桟には該横桟の角部を前記当接部として前記スクリーンに追随させる追随装置を備えた。
【００１３】
請求項７では、前記追随装置として、前記横桟の自重に基づいて前記当接部を前記スクリーンに向かって回動させる回転モーメント発生手段を備えた。
請求項８では、前記回転モーメント発生手段は、前記横桟の重心を含む鉛直線から外れた位置に設けた回動支点で前記横桟を吊下支持する構成とした。
【００１４】
請求項９では、前記モーメント発生手段は、断面中心と異なる位置に重心を設定した横桟を、前記断面の中心線状に位置する回動支点で吊下支持する構成とした。
請求項１０では、前記追随装置として、前記横桟を前記スクリーンに対し斜め方向に移動可能に支持する案内手段を前記サイドブラケットに備えた。
【００１５】
請求項１１では、前記追随装置として、前記横桟を回動可能に支持する回動支点と、前記当接部を互いに近づく方向に付勢する磁石とを備えた。
請求項１２では、前記追随装置として、前記横桟を回動可能に支持する回動支点と、前記当接部を互いに近づく方向に付勢するバネとを備えた。
【００１６】
請求項１３では、前記当接部は、前記サイドブラケット間に張設したテープと、前記サイドブラケット間に支持した横桟の角部とした。
請求項１４では、前記横桟には、該横桟の自重に基づいて前記当接部を前記スクリーンに向かって回動させる回転モーメント発生手段を備えた。
【００１７】
請求項１５では、前記テープを、巻径が最小となる状態で前記巻取軸から垂下される前記スクリーンに接する位置に張設した。
請求項１６では、前記横桟の角部から下方に断面嘴状に突出する当接部を合成樹脂で形成した。
【発明の効果】
【００１８】
本発明によれば、スクリーンの前後方向の吊下げ位置の変化に関わらず、スクリーンから安定して異物を除去してスクリーンの損傷及び汚れを防止し得るロールスクリーンの異物除去装置を提供することができる。
【発明を実施するための最良の形態】
【００１９】
（第一の実施形態）
以下、この発明を具体化した第一の実施形態を図１〜図３に従って説明する。図１及び図２に示すロールブラインドは、窓枠等の取付面に取付ブラケット１を介して固定されるフレーム２の両端に、サイドブラケット３が取着され、そのサイドブラケット３間に巻取軸４が回転可能に支持されている。
【００２０】
前記巻取軸４からスクリーン５が吊下支持され、そのスクリーン５の下端にはボトムレール９が取着されている。そして、操作装置（図示しない）の操作より、巻取軸４をスクリーン巻取り方向に回転させると、スクリーン５が巻取軸４に巻き取られて引き上げられる。また、巻取軸４をスクリーン巻戻し方向に回転させると、スクリーン５が巻取軸４から巻戻されて下降する。
【００２１】
前記各サイドブラケット３の外側面には、アーム（追随装置）６ａ，６ｂの中間部がそれぞれ回転可能に支持されている。そのアーム６ａ，６ｂの回転中心は、前記巻取軸４の回転中心と同一である。
【００２２】
前記アーム６ａ，６ｂの一端の内側面にはブッシュ７の一端部がそれぞれ回転可能に支持され、両アーム６ａ，６ｂのブッシュ７間には２本のワイヤー（当接部）８ａ，８ｂが平行に張設されている。前記ブッシュ７の回転中心は、前記ワイヤー８ａ，８ｂ間の中央に位置している。
【００２３】
前記スクリーン５は、前記ワイヤー８ａ，８ｂ間に挿通されている。そして、前記ブッシュ７はその一端部がアーム６ａ，６ｂに回転可能に支持されていることから、その自重により常には図２に示す矢印ａ方向への回転力が作用している。従って、スクリーン５の表面においてワイヤー８ａがブッシュ７の自重による軽微な圧力でスクリーン５の全幅に亘って直線状に当接し、スクリーン５の裏面においてワイヤー８ｂがスクリーン５の全幅に亘ってブッシュ７の自重による軽微な圧力で直線状に当接している。
【００２４】
前記アーム６ａ，６ｂの他端部には、錘１０が固定されて、前記ブッシュ７の荷重とバランスするようになっている。従って、スクリーン５が巻取軸４に巻き取られて、巻取軸４の巻径が増大すると、スクリーン５に追随してアーム６ａ，６ｂが回転され、常にスクリーン５の垂下位置にワイヤー８ａ，８ｂが位置するようになっている。
【００２５】
図３は、サイドブラケット３に取着される異物除去装置の具体例を示す。サイドブラケット３にはアーム６ａが回転可能に支持され、そのアーム６ａの一端にブッシュ７の一端部が回転可能に支持されている。ブッシュ７は、アーム６ａに取着されたベアリングに回転可能に支持されて、回転摩擦が軽減されている。そして、前記ワイヤー８ａ，８ｂがブッシュ７の回転中心Ｘに対し点対称状に取着され、そのワイヤー８ａ，８ｂ間に前記スクリーン５が挿通されている。
【００２６】
前記ブッシュ７の他端部に錘（付勢手段）１１が取着され、その錘１１によりブッシュ７に矢印ｂ方向の回転力が付与され、ワイヤー８ａ，８ｂがスクリーン５の表面及び裏面に当接するようになっている。前記アーム６ａの他端部には前記ブッシュ７の荷重とバランスする錘１０が取着されている。
【００２７】
前記サイドブラケット３には、下方に向かって延びるネジ軸１２が螺合され、そのネジ軸１２の下端は前記アーム６ａの回動軌跡上に位置している。そして、スクリーン５が上限まで引き上げられたとき、図３に示すように、ネジ軸１２の下端がアーム６ａに当接して、アーム６ａの矢印ｃ方向へのそれ以上の回動を阻止するようになっている。他方のサイドブラケット３に取着されるアーム６ｂも同様な構成である。
【００２８】
上記のように構成されたロールブラインドの異物除去装置では、次に示す作用効果を得ることができる。
（１）スクリーン５を引き上げるとき、スクリーン５の表裏両面にワイヤー８ａ，８ｂを当接させて、スクリーン５に付着した異物を除去することができる。また、ワイヤー８ａ，８ｂはスクリーン５の全幅に亘って接触するので、異物がスクリーン５とワイヤー８ａ，８ｂとの間を通過するおそれがない。
（２）ワイヤー８ａ，８ｂをスクリーン５の巻径の変化に追随して、自動的に移動させることができるので、巻径が変化してもワイヤー８ａ，８ｂとスクリーン５との接触抵抗は変化しない。また、ワイヤー８ａ，８ｂはブッシュ７の錘１１による必要最低限の接触圧力でスクリーン５の表裏両面に接触する。従って、スクリーン５を繰り返し昇降操作しても、スクリーン５を傷めることなく異物を除去することができる。
（３）ワイヤー８ａ，８ｂは粘着性を持たないので、スクリーン５から除去した異物がワイヤー８ａ，８ｂに付着したままとなることは少ない。従って、除去した異物によるスクリーン５の汚損を防止することができる。
（第二の実施形態）
図４〜図６は、第二の実施形態を示す。この実施形態は、巻取軸４から垂下されるスクリーン５の表裏両面に一対の横桟１３ａ，１３ｂを当接させて異物除去装置を構成したものである。
【００２９】
前記横桟１３ａ，１３ｂは、図４に示すように、巻取軸４を収容するケース１４の開口部に設けられている。前記横桟１３ａ，１３ｂは、図５に示すように、その断面が上下方向に長い長方形状に形成され、その長方形の上部の角部のうち、スクリーン５に近い側の角部の近傍を回動支点（追随装置、回転モーメント発生手段）１５として、横桟１３ａ，１３ｂの両端部がケース１４の両端部に取着されたサイドブラケット１４ａに回動可能に支持されている。
【００３０】
また、横桟１３ａ，１３ｂの対向する側面の間隔は、巻取軸４の巻径の変化によるスクリーン５の吊下位置の変化範囲を超える間隔を隔てて支持されている。
このように構成された異物除去装置では、横桟１３ａ，１３ｂの回動支点１５が横桟１３ａ，１３ｂの重心位置から外れ、かつ上方角部のうちスクリーン５に近い側の角部近傍に位置する。このため、横桟１３ａ，１３ｂは回動支点１５を中心として、その下方角部が互いに近づく方向に回動されてスクリーン５の表面及び裏面の全幅に亘って当接する当接部１６ａ，１６ｂとなる。
【００３１】
従って、この異物除去装置ではスクリーン５を引き上げるとき、横桟１３ａ，１３ｂの当接部１６ａ，１６ｂで異物を除去することができる。スクリーン５の引き上げ操作中にスクリーン５が風等で揺れても、当接部１６ａ，１６ｂがスクリーン５に追随して常に一定の接触圧で当接するようになっている。
【００３２】
また、図６（ａ）（ｂ）に示すように、巻取軸４の巻径が変化しても、横桟１３ａ，１３ｂの回動角が自動的に変わり、当接部１６ａ，１６ｂをスクリーン５の吊下げ位置に追随させることができる。横桟１３ａ，１３ｂは容易には撓まないので、当接部１６ａ，１６ｂを直線状に維持しながら、スクリーン５の揺れにも追随することができる。
【００３３】
図７は、横桟の変形例を示す。図７（ａ）は図５に示す横桟１３ｂを示し、均一の材質で形成されている。従って、回動支点１５を中心として横桟１３ｂの当接部１６ｂをスクリーン５に向かって回動させるようにしている。
【００３４】
図７（ｂ）に示す横桟１７は、断面中央部を質量の重い第一の材質１８ａで形成し、その周囲を質量の軽い第二の材質１８ｂで形成する。そして、第一の材質１８ａの断面中心を横桟１７の断面中心からずらし、回動支点１５は横桟１７の断面中心の上方に位置させる。
【００３５】
このような構成により、横桟１７に回動力を発生させて当接部１９をスクリーン５の吊下げ位置に追随させることができる。
図８は、横桟の別の変形例を示す。前記サイドブラケット１４ａに案内溝（案内手段）
２０a，２０ｂを設け、その案内溝２０ａ，２０ｂは下方に向かってスクリーン５の吊下げ位置に近づくように斜め方向とする。
【００３６】
横桟２１ａ，２１ｂの両端には突部２２が形成され、その突部２２が前記案内溝２０ａ，２０ｂに沿って移動可能となっている。このような構成により、スクリーン５の昇降位置が変化すると、図８に示す状態から横桟２１ａ，２１ｂの一方が上方へ移動し他方が下方へ移動して、スクリーン５の昇降位置の変化に追随可能である。
【００３７】
図９は、横桟の別の変形例を示す。この例の横桟２３ａ，２３ｂは、その両端部が断面の中心に設けられた回動支点２４でサイドブラケット１４ａに回転可能に支持され、各横桟２３ａ，２３ｂの当接部２５ａ，２５ｂに互いに吸着しあう磁石２６が設けられている。
【００３８】
このような構成により、スクリーン５の昇降位置が変化すると、当接部２５ａ，２５ｂが吸着しあう状態で横桟２３ａ，２３ｂが回動支点２４を中心として回動して、スクリーン５の昇降位置の変化に追随可能である。
【００３９】
図１０は、横桟の別の変形例を示す。この例の横桟２７ａ，２７ｂは、その両端部が断面の中心に設けられた回動支点２４でサイドブラケット１４ａに回転可能に支持され、その回動支点２４に捩じりコイルスプリング２８が取着されている。そして、捩じりコイルスプリング２８の一端はサイドブラケット１４ａに当接し、他端は横桟２７ａ，２７ｂに当接して、各横桟２７ａ，２７ｂはその当接部２９ａ，２９ｂが互いに近づく方向、すなわち矢印ｄ方向に付勢されている。
【００４０】
このような構成により、スクリーン５の昇降位置が変化すると、当接部２９ａ，２９ｂでスクリーン５を挟んだ状態で横桟２７ａ，２７ｂが回動支点２４を中心として回動して、スクリーン５の昇降位置の変化に追随可能である。
（第三の実施形態）
図１１は、第三の実施形態を示す。この実施形態の異物除去装置は、第一の実施形態と同様な一本の横桟１３ｂと、その横桟１３ｂの当接部１６ｂに近接してテープ３１を張設し、そのテープ３１と当接部１６ｂとの間にスクリーン５を挿通したものである。テープ３１は、例えばポリエステルテープで形成される。ポリエステルテープは、好ましくは透明色とすると、部屋内からの意匠性がよい。
【００４１】
このような構成により、横桟１３ｂの当接部１６ｂとテープ３１の下縁とでスクリーン５の両面の異物を除去可能である。
図１２は、この実施形態の横桟１３ｂの変形例を示す。横桟１３ｂに下方へ嘴状に伸びる当接部３２を設ける。このような当接部３２により異物を容易に除去可能となる。
【００４２】
図１３（ａ）に示すように、前記テープ３１は、巻取軸４の巻径が最小となったとき巻取軸４から垂下されるスクリーン５に接する位置に張設する。
このようにすると、図１３（ｂ）に示すように、スクリーン５の巻径が増大した場合にも、テープ３１にスクリーン５の面圧が作用しないので、スクリーン５の面圧によるテープ３１の湾曲を防止して、異物を確実に除去することができる。
【００４３】
図１４は、前記テープ３１の張設装置の一例の原理を示す。テープ３１の端部はサイドブラケット３の内側からサイドブラケット１４ａに設けられた第一の挿通孔３３ａに挿通され、さらにサイドブラケット３の外側から第二の挿通孔３３ｂを経てテープホルダー３４に挿通される。そして、テープ３１の端部がテープホルダー３４に対し止めネジ３５で固定される。
【００４４】
また、前記テープホルダー３４はサイドブラケット１４ａを支点とする圧縮バネ３６の付勢力によりサイドブラケット１４ａから離間する方向に付勢され、その付勢力によりテープ３１が所定の張力で張設されている。
【００４５】
図１５は、図１３に示す異物除去装置の具体的構成を示す。テープ３１は、スクリーン５が下限まで下降されて、巻取軸４の巻径が最小となった状態で巻取軸４から垂下されるスクリーン５に接する位置に張設される。
【００４６】
横桟１３ｂは形材で形成され、上方角部の回動支点１５でサイドブラケット１４ａに回動可能に支持され、前記テープ３１に対向する側面下部で前記スクリーン５を挟むように位置している。
【００４７】
横桟１３ｂの角部は曲面状に形成され、その角部を含む横桟１３ｂの上面と、その角部を含む横桟１３ｂの下面は、硬質合成樹脂で形成されたカバー材３７ａ，３７ｂで覆われている。また、テープ３１に対向する角部には下方へ嘴状に伸びる当接部１６ｂが軟質合成樹脂で形成され、当接部１６ｂとテープ３１とでスクリーン５の全幅に亘って僅かな圧力で接触するようになっている。
【００４８】
このような構成により、スクリーン５が引き上げられると、スクリーン５の表裏両面に付着した異物が、当接部１６ｂとテープ３１で除去される。また、スクリーン５の巻径が増大すると、図１５に鎖線で示すように、スクリーン５は横桟１３ｂの上方角部から巻取軸４に向かって案内されるため、スクリーン５の面圧はテープ３１に作用しない。
【００４９】
図１６は、図１４に示す張設装置の具体的構成を示す。サイドブラケット３には円筒状の支持部３８が形成され、その支持部３８に円柱状のテープホルダー３４の基端部が保持される。
【００５０】
テープホルダー３４の基端部には圧縮バネ３６が収容され、その圧縮バネ３６の一端部はサイドブラケット３に当接している。そして、サイドブラケット１４ａを支点とする圧縮バネ３６の付勢力により、テープホルダー３４は矢印ｅ方向に付勢されている。
【００５１】
テープ３１の端部は、内側からサイドブラケット１４ａに挿通され、さらにサイドブラケット１４ａの外側からテープホルダー３４に挿通され、止めネジ３５でテープホルダー３４に固定されている。
【００５２】
このような構成により、テープ３１はその両端部がサイドブラケット１４ａに支持され、圧縮バネ３６の付勢力により設定される張力で張設される。
上記実施形態は、以下の態様で実施してもよい。
・第一の実施形態において、ワイヤーに代えて、モノフィラメント、細幅のリボン、撓みのない中空パイプとしてもよい。
【図面の簡単な説明】
【００５３】
【図１】第一の実施形態のロールスクリーンを示す正面図である。
【図２】第一の実施形態のロールスクリーンを示す側面図である。
【図３】第一の実施形態のロールスクリーンの具体例を示す側面図である。
【図４】第二の実施形態を示す側面図である。
【図５】第二の実施形態の異物除去装置を示す側面図である。
【図６】（ａ）（ｂ）は第二の実施形態の動作を示す側面図である。
【図７】（ａ）（ｂ）は横桟を示す側面図である。
【図８】異物除去装置の別例を示す側面図である。
【図９】異物除去装置の別例を示す側面図である。
【図１０】異物除去装置の別例を示す側面図である。
【図１１】第三の実施形態の異物除去装置を示す側面図である。
【図１２】第三の実施形態の横桟の変形例を示す側面図である。
【図１３】（ａ）（ｂ）は第三の実施形態の動作を示す側面図である。
【図１４】第三の実施形態のテープ張設装置を示す平面図である。
【図１５】第三の実施形態の異物除去装置の具体例を示す側面図である。
【図１６】第三の実施形態のテープ張設装置の具体例を示す一部破断正面図である。
【符号の説明】
【００５４】
３，１４ａ…サイドブラケット、４…巻取軸、５…スクリーン、８ａ，８ｂ…当接部（ワイヤー）、１０…錘、１１…付勢手段（錘）、１３ａ，１３ｂ，１７，２１ａ，２１ｂ，２３ａ，２３ｂ，２７ａ，２７ｂ…横桟、１６ａ，１６ｂ，１９，２５ａ，２５ｂ，２９ａ，２９ｂ，３２…当接部。
【図１】
2010144486.tif 000003
【図２】
2010144486.tif 000004
【図３】
2010144486.tif 000005
【図４】
2010144486.tif 000006
【図５】
2010144486.tif 000007
【図６】
2010144486.tif 000008
【図７】
2010144486.tif 000009
【図８】
2010144486.tif 000010
【図９】
2010144486.tif 000011
【図１０】
2010144486.tif 000012
【図１１】
2010144486.tif 000013
【図１２】
2010144486.tif 000014
【図１３】
2010144486.tif 000015
【図１４】
2010144486.tif 000016
【図１５】
2010144486.tif 000017
【図１６】
2010144486.tif 000018